Podtech/llm-jp-corpus-v4-ja_patent huggingface dataset:
(57)【要約】【課題】熱にも傷にも強い新規な表面仕上げを施した、遊技機用島台のカウンター天板を提供する。【解決手段】島台の長さ方向に沿って設けられた棚板に、カウンター天板２６０が取り付けられる。カウンター天板２６０は、木質系材料からなる天板下地材の表面に耐熱樹脂製シート２６４を貼設して形成される。耐熱樹脂シート２６４は、難燃性、耐水性、防汚性、表面硬度等に優れた厚さ０．２〜０．３ｍｍ程度の可撓性粘着シートであって、例えば硬質塩化ビニル樹脂をはじめ、ポリエチレン系樹脂、ＰＥＴ系樹脂、ポリプロピレン系樹脂等により形成される。【選択図】図１
0003125896.tif 000002
【実用新案登録請求の範囲】
【請求項１】
木材からなる天板下地材の表面に耐熱樹脂製シートを貼設してなる遊技機用島台のカウンター天板。
【考案の詳細な説明】
【技術分野】
【０００１】
本考案は、パチンコやスロット遊技機を設置するための島台に取り付けられるカウンター天板に関する。
【背景技術】
【０００２】
パチンコ・スロット遊技店における島工事の施工性を改善するため、本出願人は、特許文献１、２等において、構造体を上側部分、中間部分及び下側部分に３分割した島台の構造を提案し実用化している。かかる島台の概略構造を図２に示す。島台１は、下段ユニット２、中段ユニット３、及び上段ユニット４を接合することによって組み立てられる。
【０００３】
下段ユニット２は、島台１の長さ方向に沿って所定間隔で配列された複数個の支持フレーム２１を、腰板２２、棚板２３、幕板２４、巾木２５等を介して島台１の長さ方向に連結した構造体である。支持フレーム２１の足元部分に取り付けられたベースプレート２１４が、床面に埋設されたアンカーボルト６に連結される。下段ユニット２の上部には、所定間隔で相対する下部支柱２１３が立設され、この下部支柱２１３に中段ユニット３が接合されるようになっている。
【０００４】
中段ユニット３は、前記下部支柱２１３と合致する間隔で相対する一対の中間支柱３１が連結板３２を介して連結された略Ｈ形の構造体で、中間支柱３１の下端が下部支柱２１３の上端に継手パイプ３３等を介して接合される。
【０００５】
上段ユニット４は、相対する上部支柱４１とこれに連結された上部フレーム４２、及びそれらを長さ方向に連結する上部幕板４３等を備えた構造体である。上部支柱４１が、中段ユニット３の中間支柱３１に接合される。
【０００６】
このような島台１は、下段ユニット２、中段ユニット３及び上段ユニット４を、予め工場にてそれぞれ製作し、各段を別々にした状態で遊技店の設置現場に搬入される。そして、まず床上の所定位置に下段ユニット２を据え付けた後、これに中段ユニット３、上段ユニット４を順次接合することにより組み立てられる。かかる構造及び組立方法によって、遊技店における島工事の現場作業を省力化し、作業時間や工数の削減を実現している。
【特許文献１】特開平６−１７００５６号公報
【特許文献２】特開２００１−１６２０２２号公報
【考案の開示】
【考案が解決しようとする課題】
【０００７】
図１に例示した従来の島台１において、棚板２３の上面及び前面には、島台１の長さ方向に沿ってカウンター天板２６が取り付けられる。カウンター天板２６は、遊技者が玉箱や小物、飲物類を置くためのスペースとして利用される。カウンター天板２６にはタバコの火や吸殻が落ちたり、飲み物がこぼれたりしやすいので、従来は熱や汚れに強いステンレス鋼板やアルミニウム板、あるいはメラミン化粧板等が用いられてきた。しかし、金属板材は高価であり、また、メラミン化粧板は仕上がりの外観意匠に十分な高級感が現れない。そこで本考案は、熱にも傷にも強い新規な表面仕上げを施したカウンター天板を安価に提供することを解決課題とするものである。
【課題を解決するための手段】
【０００８】
上記した目的を達成するため、本考案の遊技機用島台のカウンター天板は、木材からなる天板下地材の表面に耐熱樹脂製シートを貼設したものとして特徴付けられる。
【考案の効果】
【０００９】
本考案の遊技機用島台のカウンター天板は、表面に耐熱樹脂性シートが貼設されているので、汚れや傷がつきにくく、タバコの火にも焦げにくく、長期間にわたって美麗な外観意匠が得られる。また、従来の金属板材からなるカウンター天板に比べて安価に製作することができる。
【考案を実施するための最良の形態】
【００１０】
以下、本考案の実施の形態について図を参照して説明する。
【００１１】
図１は本考案の実施例にかかるカウンター天板２６０の断面図斜視図である。カウンター天板は、例えば図２に示した島台１の棚板２３に取り付けられるが、本考案において島台１の詳細な構造は特に限定されない。
【００１２】
例示のカウンター天板２６０は、天板下地材となる横板２６１と縦板２６２とを接合して断面略Ｌ字形となるように形成されている。接合箇所の角部には、断面扇形の稜角部材２６３が取り付けられている。これら天板下地材には、天然製材のほか、集成材、合板、パーティクルボード、ファイバーボード等の木質系材料を幅広く利用することができる。
【００１３】
カウンター天板２６０の表面（取付後の外観に現れる範囲の面）には、化粧材として耐熱樹脂製シート２６４が貼設される。耐熱樹脂シート２６４は、難燃性、耐水性、防汚性、表面硬度等に優れた厚さ０．２〜０．３ｍｍ程度の可撓性粘着シートであって、その材質としては、例えば硬質塩化ビニル樹脂をはじめ、ポリエチレン系樹脂、ＰＥＴ系樹脂、ポリプロピレン系樹脂等を挙げることができる。かかる耐熱樹脂製シート２６４によって表面を仕上げることにより、熱や傷に強く、かつ色彩感や光沢感にも優れたカウンター天板２６０を、金属板材よりも安価なコストで製作することができる。
【図面の簡単な説明】
【００１４】
【図１】本考案の実施形態に係るカウンター天板の断面斜視図である。
【図２】本考案にかかるカウンター天板が取り付けられる遊技機用島台の、基本的な構造の例を示す断面図である。
【符号の説明】
【００１５】
１      島台
２６０  カウンター天板
２６４  耐熱樹脂製シート
【図１】
0003125896.tif 000003
【図２】
0003125896.tif 000004
(57)【要約】【課題】主に複音ハーモニカで独奏又は合奏でハーモニカを演奏する場合曲の調子によりハーモニカを交換する場合がある。演奏者は台などを手近に用意し、必要ハーモニカをそろえておかねばならない。これは特に合奏においては場所や設備が必要になり利便性がない。【解決手段】前記の課題を解決する為、本考案は複数のハーモニカを個々に収納できるよう複数の収納部をもつハーモニカケースである。このハーモニカケースは譜面台に装着でき、演奏中容易迅速にハーモニカを交換できるという手段を構じたものである。【選択図】図１
0003125810.tif 000002
【実用新案登録請求の範囲】
【請求項１】
複数のハーモニカ収納部を持ち、楽譜台のシャフト部に回転可能に装着することにより、演奏中に容易に使用するハーモニカを交換することができるハーモニカケース。
【請求項２】
ハーモニカケース中心部は譜面台のシャフトに装着できる穴をもち、アダプターとしてのカラーを挿入または交換することで、数種の異なるシャフト径に対応する事ができる、請求項１に記載のハーモニカケース。
【請求項３】
ハーモニカケースの上下位置を任意に固定するためハーモニカケース本体と別に固定用ねじを有する請求項１または２に記載のハーモニカケース。
【考案の詳細な説明】
【技術分野】
【０００１】本考案はハーモニカケースに属するもので演奏の利便性を向上させるものである。
【背景技術】
【０００２】主に複音ハーモニカを演奏の際、独奏又は合奏において二本を超えるハーモニカを使用する際は、演奏に使用するハーモニカを交換する為に演奏用の脇テーブルを必要としたり、合奏の場合はそのスペースの問題もあり不便さがあった。
【特許文献１】ありません。
【考案の開示】
【考案が解決しようとする課題】
【０００３】上記のような不便さを解消するために、脇テーブルやスペースを要せず、かつ演奏者がハーモニカを、容易迅速に交換できるような器具を考案することにある。
【課題を解決するための手段】
【０００４】放射状に配置された複数のハーモニカを収納する収納部を有し、中心部の穴に譜面台のシャフト部を挿入し、譜面台にケースごととりつけられ、収納位置の上下高さが任意に固定され、かつ円周方向に回転することができる。その為、演奏者が演奏中容易にハーモニカを交換できるようにしたハーモニカケースを提供する。【０００５】ケースはプラスチックなどで成型され、中央部は譜面台のシャフトに挿入される穴部を持ち、がたつくことなく挿入する事ができる。また、ケース本体と分離されたケースの高さを調整する為の固定用ねじ部を有している。
穴部はアダプターとしてのカラーを用いることにより異なるシャフト径に対応ができる。
【考案の効果】
【０００６】演奏者は演奏中に、容易にすみやかに複数のハーモニカを交換する事が出来る。
【考案を実施するための最良の形態】
【０００７】図１は本考案に係わる一実施例で使用状態を示したもので固定用ねじ（２）で高さ調整された上に、ケース本体（１）がケース中心穴（５）により、譜面台のシャフト（３）に挿入された状態を示したものである。
本体ケースは放射状に３から８箇所程度のハーモニカ（９）の収納部（４）をもち、外形は円又は多角形状をなす。【０００８】図２  ａ，ｂは本考案に係わる他の実施例であり、ケース中心穴（５）は譜面台のシャフト径の寸法に応じアダプターのカラー（６）を挿入することで，異なるシャフト径にも対応できる構造をなす。【０００９】図３は更に別の実施例であり、ケース本体にあわせたキャップ（７）をはめた状態を示した図で、移動や、保管時に使用される。
キャップ（７）はプラスチックの弾性を利用し、ケース本体と、はめあいをなすが、一例として一部に突起（８）を儲けることで、更に強固なはめあいがなされている状態を示したものである。【００１０】図１及び図２の（２）はケース本体の高さを調整する為の固定用ねじ（２）でケース本体とは別部品となる。
これにより、ケース本体はシャフト上での高さ位置を調整する事ができる。
【図面の簡単な説明】
【００１１】
【図１】使用状態のケースの一実施例を示す斜視図である。
【図２】他の実施例を示すものでケース本体のａ．平面図及びｂ．立面図である、中心部にシャフト径に対応したアダプターのカラー（６）が挿入されている。
【図３】別の実施例を示すもので、本体にハーモニカ（９）を入れ、キャップ（７）を装着した状態を示した図面である。
【符号の説明】
【００１２】１  ケース本体
２  固定用ねじ
３  譜面台のシャフト
４  収納部
５  ケース中心穴
６  カラー
７  キャップ
８  突起
９  ハーモニカ
【図１】
0003125810.tif 000003
【図２】
0003125810.tif 000004
【図３】
0003125810.tif 000005
(57)【要約】【課題】支持脚の装着方法を改良することによって、折りたたみ式譜面台の折りたたみ状態における体積を撚り小さなものとする。【解決手段】一般的に実施されている三本の支持脚５ａ，５ｂ，５ｃを上ロクロ２、下ロクロ３ならびにリンク７によって支柱１に可動的に取り付ける際に、支持脚５ａの折り曲げ補強部８の折り曲げ方向が支持脚５ｂ、５ｃとは逆方向に向くように取り付けることにより、折りたたんだ状態の支柱１と支持脚５ａ，５ｂ，５ｃの全幅を縮小して、より体積の小さな折りたたみ式譜面台を実現する。【選択図】図１
0003125803.tif 000002
【実用新案登録請求の範囲】
【請求項１】
一端にすべり止め６備え且つ中間に折り曲げ補強部８を備えた三本の支持脚５ａ，５ｂ，５ｃを支柱１に固定された上ロクロ２に可動的に軸着し、一端が各支持脚５ａ，５ｂ，５ｃに可動的に軸着されたリンク７の他端を支柱１にそって摺動且つ固定自在に設置された下ロクロ３に可動的に軸着してなる折りたたみ式譜面台において、支持脚５ａの折り曲げ補強部８が他の支持脚５ｂ，５ｃの折り曲げ補強部８と反対方向を向いて取り付けられている事を特徴とする折りたたみ式譜面台。
【考案の詳細な説明】
【技術分野】
【０００１】  本考案は、携行が簡便な折りたたみ式譜面台に関するものである。
【背景技術】
【０００２】  従来から携帯や運搬を容易にするために、譜面載置台、支柱、支持脚を折りたたんで、携行用バッグなどに収容する形式の譜面台が公知である。【０００３】  譜面台は、譜面を載せる譜面載置台、その台を使用者に対して適当な高さに支持する支柱、その支柱を転倒せぬように支える支持脚から構成され、そのような基本構成はここ数百年にわたって引き継がれてきている。
携帯や運搬における利便性を与えるため、譜面載置台をリンク機構によって折りたたみ可能とし、支柱を入れ子型に三分割して引き出しと固定を可能にし、支持脚を支柱の端部に固定したロクロと支柱上を摺動する摺動子によって傘の骨の動きに似せて折りたたみ可能にした一般的な折りたたみ式譜面台は特許文献１に記載した発明においても公知の事実として明示されている。【０００４】  前述のごとき構造の折りたたみ式譜面台は、ここ数十年にわたって使用されてきたが、現代に於いては更なる軽量化と体積の縮小が望まれている。【０００５】  軽量化に関しては材質とその強度の研究によって、開発毎に目的の軽量化を達成してきたが、支柱の縮小は支柱を五分割して入れ子構造を採用することで達成できるが、折りたたんだ際の全体積の縮小は既に限度に達しており、更なる体積の縮小は極めて困難であった。
【特許文献１】  特開２００２−３２８６７５号公報
【考案の開示】
【考案が解決しようとする課題】
【０００６】  使用の際には十分な強度と十分な大きさを備えながら、折りたたんだ際には最小限度の体積で収納できる折りたたみ式譜面台を達成することが本考案の課題である。
【課題を解決するための手段】
【０００７】  支持脚の構成を考慮しなおして、折りたたんだ際の全幅が従来品よりも小さくなるようにして、課題を解決する。
【考案の効果】
【０００８】  本考案の折りたたみ式譜面台によると、従来品の部品構成を改めることなく、折りたたんだ際の全幅を縮小できるので、譜面台のより一層の小型軽量化に際して、その目的を達成するための根幹となる構造であると言う効果がある。
【考案を実施するための最良の形態】
【０００９】  折りたたんだ状態の支持脚の全幅を、部品の強度を落とすことなく縮小する事を実現した。
【実施例１】
【００１０】  図１は、本考案装置の実施例の斜面図であって、１は譜面台の支柱、２は支柱１の端部に固定された上ロクロ、３は支柱１に沿って摺動可能であると共に任意の位置で支柱１に対して固定状態を確保するための固定ネジ４を備えた下ロクロである。【００１１】  ５ａ、５ｂ、５ｃはそれぞれ一端にすべり止め６を備えた支持脚で、それらの他端は可動的に上ロクロ３に軸着されており、一端が支持脚５ａ、５ｂ、５ｃの適当箇所に可動的に軸着されたリンク７の他端は下ロクロ３に可動的に軸着されている。８は各支持脚５ａ、５ｂ、５ｃの強度を増加させるために設置された折り曲げ補強部で、金属製の支持脚５ａ、５ｂ、５ｃをその板厚にそって折り曲げることによって強度を確保している。【００１２】  図１において、固定ネジ４を緩めて下ロクロ３を上方に摺動させると、リンク７に牽引された支持脚５ａ、５ｂ，５ｃが上ロクロ２の軸着点を中心に上方へ旋回し、最終的に支柱１にほぼ平行にそった位置まで移動して、折り畳みが完了する。【００１３】  本考案に於いては、支持脚５ａ、５ｂ，５ｃが折りたたまれた状態でその全幅をより小さくするために、それらの折り曲げ補強部８の折り曲げ方向に着目した。【００１４】  従来品の支持脚５’は、上ロクロに取り付ける際に全ての折り曲げ補強部８’を同一方向にそろえて軸着していた。その状態の概念図は図２に示す通りである。
本考案に於いては、折り曲げ補強部８を同一方向に向けている支持脚５ｂ、５ｃに対して、支持脚５ａだけを折り曲げ補強部８がそれらと反対方向を向けるように上ロクロ２に軸着する。その状態の概念図は図３に示す通りである。【００１５】  図１には、支持脚５ａは他の支持脚５ｂ、５ｃと折り曲げ補強部８を反対に向けるように取り付けた状態が示されているが、この状態から全ての支持脚５ａ、５ｂ，５ｃを畳み込んだ状態の底面図は図４に示す通りであり、折り曲げ補強部８’の方向をそろえて取り付けた従来の支持脚５’による底面図（図５）と比較すると、本考案品の全幅Ｘが従来品の全幅ｘよりはるかに小さいことが明瞭に理解できる。【００１６】  このように、折りたたんだ状態の支持脚５ａ、５ｂ、５ｃの幅を縮小することにより、これら支持脚５ａ、５ｂ、５ｃが最終的に収容される譜面載置台（図示せず）の寸法もより一層小さなものにすることが可能となり、構造全体の体積を縮小することが出来る効果がある。
【図面の簡単な説明】
【００１７】
【図１】折りたたみ式譜面台の一部を示す斜面図である。
【図２】従来品における支持脚取り付け状態の概念図である。
【図３】本考案による支持脚取り付け状態の概念図である。
【図４】本考案による折りたたみ状態の底面図である。
【図５】従来品における折りたたみ状態の底面図である。
【符号の説明】
【００２０】１    支柱
２    上ロクロ
３    下ロクロ
４    固定ネジ
５ａ  支持脚
５ｂ  支持脚
５ｃ  支持脚
６    すべり止め
７    リンク
８    折り曲げ補強部
【図１】
0003125803.tif 000003
【図２】
0003125803.tif 000004
【図３】
0003125803.tif 000005
【図４】
0003125803.tif 000006
【図５】
0003125803.tif 000007
(57)【要約】【課題】本考案はブラジャー本体にガーゼを縫いつけたもので汗による皮膚の湿疹を予防したブラジャーである。【解決手段】本考案はブラジャー本体のアンダーバストより上部（汗により湿疹が出来やすい部分）に、ガーゼを幾重にも重ねて伸び縮みが出来るように縫いつけたもので、汗による皮膚の湿疹を予防したものである。【選択図】図２
0003125809.tif 000002
【実用新案登録請求の範囲】
【請求項１】
ブラジャー本体に通気性、通水性、速乾性がよく且つクッション性を持つガーゼを縫いつけたもので、汗をかいても蒸れが無いため、汗による皮膚の湿疹の予防、肌に衛生的、且つ肌に快適なブラジャー。
【考案の詳細な説明】
【技術分野】
【０００１】本考案は、ブラジャー本体にガーゼを縫いつけたものである。
【背景技術】
【０００２】夏になると肌の弱い人はブラジャーを装着すると、アンダーバストより上部に汗による湿疹ができ皮膚科に通院していた。
【考案の開示】
【考案が解決しようとする課題】
【０００３】ブラジャーを装着し、汗をかいても肌に当たる面にガーゼを使用することにより肌に衛生的、肌に快適に肌に負担をかけずに皮膚の湿疹を予防しようとしたものである。
【課題を解決するための手段】
【０００４】本考案は、ブラジャー本体に汗により湿疹できやすい部分に（アンダーバストより上部）ガーゼを幾重にも重ねて（１０枚以上が適当か）ブラジャーのアンダーバストが伸び縮みできるように縫いつけることにより、ブラジャーを装着し汗をかいても幾重にも重ねたガーゼが通気性、通水性、速乾性、クッション性を持つ為、肌をやさしく保護し、肌を清潔に保つことが出来る。
【考案の効果】
【０００５】通気性、通水性、速乾性がよく且つクッション性を持つガーゼを湿疹出来やすい部分に、ブラジャーのアンダーバストより上部縫いつけてある為、汗の吸収もよく肌を清潔に保つ為、肌を優しく保護し、皮膚の湿疹を予防することが出来る。やすらぎの快感を得ることが出来る。
【図面の簡単な説明】
【０００６】
【図１】ブラジャーの裏面図
【図２】本考案のブラジャーの裏面図
【符号の説明】
【０００７】１  ブラジャー本体
２  肩ひも
３  フック
４  ガーゼ
【図１】
0003125809.tif 000003
【図２】
0003125809.tif 000004
(57)【要約】【課題】本考案は洋傘を利用し、形状を変え犬のスペースを確保し愛犬家に提供するものである。【解決手段】傘を上に引き上げて（中心棒）取手を上に付け（止め金も）上に付ける。晴雨両用である。【選択図】図１
0003125801.tif 000002
【実用新案登録請求の範囲】
【請求項１】
（イ）既存の透明ビニール傘を通常とは反対のお猪口状態に開くように改造する。
（ロ）開いた傘の先端（１）には犬２をつなぐロープ（２）と金具（３）が取り付けてある。
（ハ）傘は犬がぬれないよう犬の体型にあわせ前後に長い菱形状に開く。
上記（イ）（ロ）（ハ）の構成よりなる犬用の傘。
【考案の詳細な説明】
【技術分野】
【０００１】本考案は洋傘からなる改良・犬用の傘
【背景技術】
【０００２】下より上に向けて開き利用されるのが従来の傘である。
）
【考案の開示】
【考案が解決しようとする課題】
【０００３】先ず形状が円形では飼い主の歩行に支障があり、形状を変える事と犬のスペースの確保
【考案が解決しようとする為の手段】
【０００４】形状は前後に長くする為に骨を調節する（図２）
中心棒を上に引き上げる様にセットする（図１）
中心棒の下部が広く空くので犬のスペ−スは確保出来る
中心棒の下部にロ−プを付け犬に繋ぐ。ロ−プは短い方が犬の調教にも効果あり（５センチ〜６センチ）が可。尚、中心棒の長短により犬の大・小に関らず使用出来る。※雨、日除け両用になり色・柄等好みで楽しめる。
【図面の簡単な説明】
【０００５】
【図１】犬の傘の断面図
【図２】犬の傘の上面図
【符号の説明】
【０００６】（１）傘の先端
（２）ロープ
（３）金具
【図１】
0003125801.tif 000003
【図２】
0003125801.tif 000004
(57)【要約】【課題】本考案は冷蔵庫本体を横置き式とし、低位置での保存物の出し入れ、整理収納を容易にするが床使用スペ−スを広く必要とする。【解決手段】本考案は冷蔵庫本体に天板を設けているので天板スペ−スの有効使用で使用床スペースはカバ−出来るものと考える。【選択図】図２
0003125804.tif 000002
【実用新案登録請求の範囲】
【請求項１】
冷蔵庫本体を横置型、横長とし高さを低くして天板を設け、冷蔵室を分割、引き出し式とした天板付横置型冷蔵庫。
【考案の詳細な説明】
【技術分野】
【０００１】本考案は、縦長冷蔵庫を横置形にし天板を設けた横長冷蔵庫に関するものである。
【背景技術】
【０００２】家庭において冷蔵庫使用時、食材、食料品、調味料等の保存物は、高いスペ−ス、奥に深いスペ−スにも保管する。保存物の出し入れ時、機種によって異なるが冷蔵室は半開又は全開となる。
【考案の開示】
【考案が解決しようとす課題】
【０００３】  冷蔵庫は高いスペ−ス、奥のスペ−スと食材等の保存のため使用するが、いざ出し入れの場合手が届きにくい、目的外の物との接触、落下等の不具合整理収納の困難さ等作業負担となる。健常者においても前述通り乍、まして車椅子使用の障害者、高齢者、若年者においてはさらなる作業負担となる。冷蔵室ドア開閉時による冷気の無駄も生じる、従って本体を横置形低位置とし冷蔵室の分割により前述の欠点を解決しようとするものである。
【課題を解決するための手段】
【０００４】本考案は冷蔵庫本体を横置形にする事により本体が低位置となり、貯蔵室の利用作業位置が低くなり保存物の出し入れ、整理収納を容易にする。天板を設ける事で食器、食材の仮置き、調理用家電置きと用途は多様。冷蔵室を分割する事により目的に応じた部分的開閉で冷蔵室内冷気の無駄な排出を緩和し問題点を解決する。
【考案の効果】
【０００５】上述の様に，本考案の天板付横置形冷蔵庫は本体を横置きにする事によって縦長冷蔵庫に比べ使用位置が低くなり車椅子使用の障害者、高齢者、若年者による冷蔵庫使用を容易にする事を目的としている。冷蔵スペ−スを分割引き出し式にする事により保存物の出し入れ整理収納が容易となり作業負担の軽減となり目的に応じた部分的開閉に限られ冷蔵室内冷気の排出が軽減されエネルギ−の節減となる。
天板を設ける事により、板上スペ−スの有効利用により様々な使用目的が生まれる。
【考案の実施するための最良の形態】
【０００６】  本体は冷蔵庫であるため必然全的にはキッチンに設置する事となるが、キッチンとリビングとの間仕切りとしても使用可、天板はスペ−スも広くレンジ、ト−スタ−、ミキサ−等の家電調理器、保存物の出し入れ時の仮置き、食器の仮置き等使用目的は多様。
横置式であるため開閉位置が低く特に下肢障害者、高齢者、若年者にとって保存物の出し入れ、整理収納が容易となる。
【実施例】
【０００７】以下、添付図面に従って実施例を説明する。１は天板一体化形成された横置冷蔵庫本体の正面図、上段部には通常良く使う食材、飲料品、調味料を収納、中断は野菜ケ−ス、アイスル−ム、ボトルル−ムを下段には利用量の多い冷凍室を設置、ではあるが一例であって各収納室の位置、機能、設計等は、これに固持するものでは無い。
【図面の簡単な説明】
【０００８】
【図１】本考案の天板付横置型冷蔵庫の一実施例を示す正面図である。
【図２】本冷蔵庫使用のイメ−ジイラストである。
【符号の説明】
【０００９】    １  天板
２  冷蔵室
３  冷蔵室
４  冷蔵室
５  アイスル−ム
６  ボトルル−ム
７  野菜室
８  野菜室
９  冷凍室
１０  冷凍室
１１  冷凍室
【図１】
0003125804.tif 000003
【図２】
0003125804.tif 000004
(57)【要約】【課題】本考案は、地中に埋設する樹脂製の型枠であっても、自然破壊の無い、良好な環境を提供する事にある。【解決手段】生分解性樹脂のコーナー枠（１）と生分解性樹脂の平行枠（２）に合決溝（３）をそれぞれ設け、この合決溝（３）に前記枠同士で重ね合わせて組付けてこの重ね合わせたジョイント部分に、同じく生分解性樹脂の枠固定具（４）を打込んで設ける。【選択図】図１
0003125802.tif 000002
【実用新案登録請求の範囲】
【請求項１】
生分解性樹脂のコーナー枠（１）と生分解性樹脂の平行枠（２）に合決溝（３）をそれぞれ設け、この合決溝（３）に前記枠同士で重ね合わせて組付けてこの重ね合わせたジョイント部分に、同じく生分解性樹脂の枠固定具（４）を打込んで設け装着してなる、埋込支柱用コンクリート基礎の型枠。
【考案の詳細な説明】
【技術分野】
【０００１】  本考案は、生分解性樹脂（バイオマスプラスチック）技術を使った、地中に埋込む型枠に関するものである。
【背景技術】
【０００２】  従来、コンクリートの型枠は金属製が主流である。
【考案の開示】
【考案が解決しようとする課題】
【０００３】  これらは、次のような問題点があった。
まず、小さなコンクリート型枠であっても重量が嵩み、重くて取扱いが大変である。また、自然破壊に繋がる、環境問題が発生するので、地中にそのまま埋込む事は出来なかった。その他製造上の難しさ、在庫管理、搬送等多くの困難があった。
本考案は、このような問題点を改善する為に、なされたものである。
【課題を解決するための手段】
【０００４】  この課題を解決する方法としては、生分解性樹脂を圧縮成型により成型形成する。つまり生分解性樹脂のコーナー枠（１）および生分解性樹脂の平行枠（２）に合決溝（３）をそれぞれ設けた形で樹脂成型を行い、これらを形成する。つぎにこの合決溝（３）に前記枠同士で重ね合わせて組付ける。この重ね合わせた、ジョイント部分に、同じく生分解性樹脂の枠固定具（４）を打込んで装着して固定する。次に、本考案の実施方法としては、まず完成した型枠に看板支柱（５）を固定して枠一杯に、生コンクリート（６）を流し込み、生コンクリート（６）が固まってから、そのまま、土に埋込みを行い作業を終了する。後日、本考案の型枠は分解して土壌に返り、消滅する。
本考案は以上のような構成による、埋込支柱用コンクリート基礎の型枠である。
【考案の効果】
【０００５】  樹脂成型であるから、簡単に大量に生産が可能である。また型枠自体が樹脂であるので非常に軽量であり、取扱い易い為、施工工事、搬送、在庫管理等コストが大幅に改善された。さらに地面に埋めたたままで、自然に分解消滅するので、環境向上に寄与する。
【考案を実施するための最良の形態】
【０００６】  この型枠の材料に生分解性樹脂（バイオマスプラスチック）を全面的に使用する。この生分解性樹脂は、籾殻やデンプンおよび分解性高分子等で構成されており、埋設地中（７）で自然分解される無公害樹脂である。まず図面に従ってせつめいすれば、図３、図４のごとく生分解性樹脂のコーナー枠（１）と生分解性樹脂の平行枠（２）に合決溝（３）をそれぞれ設けたものを、圧縮成型で形成する。次に、この合決溝（３）に前記枠同士で重ね合わせて組付けて、この重ね合わせたジョイント部分に、同じように圧縮成型にて形成された、生分解性樹脂の枠固定具（４）を打込んで固定装着して設け、図１のごとくの型枠が完成する。つまり施工工事としては図２のごとく、この型枠は簡単な軽量の部品であるから、現場で簡単に組立てて、看板支柱（５）を枠内に固定して、そのまま生コンクリート（６）を枠内に充填して固まったものを、埋設地中（７）に埋めるだけで良い。
【図面の簡単な説明】
【０００７】
【図１】本考案の斜視図である。
【図２】本考案の施工実施説明図である。
【図３】本考案の平行枠組付のＢ部詳細図である。
【図４】本考案のコーナー枠組付のＡ部詳細図である。
【符号の説明】
【０００８】      １  生分解性樹脂のコーナー枠
２  生分解性樹脂の平行枠
３  合決溝
４  生分解性樹脂の枠固定具
５  看板支柱
６  生コンクリート
７  埋設地中
８  Ａ部詳細
９  Ｂ部詳細
【図１】
0003125802.tif 000003
【図２】
0003125802.tif 000004
【図３】
0003125802.tif 000005
【図４】
0003125802.tif 000006
(57)【要約】【課題】レンガやブロックの施工工事の際、水平を確認するために従来の直管式の水平器では、たて、よこ、ななめと何度も水平器を置きなおしたり、複数の直管式水平器を使用して確認、修正する必要があったが、傾斜方向を一目で確認することができるようにし傾斜の修正作業を容易に行えるようにする。【解決手段】水平器の気泡管に３６０度全方向を確認できる丸型気泡管を使用し、レンガやブロック施工に適した形状の水平器にした。【選択図】図１
0003125807.tif 000002
【実用新案登録請求の範囲】
【請求項１】
丸型気泡管を使用したレンガ、ブロック等の施工用水平器。
【考案の詳細な説明】
【技術分野】
【０００１】本考案はレンガ、ブロック等の施工用水平器である。
【背景技術】
【０００２】レンガ、ブロック等の施工において水平確認をする際、従来直管式の水平器を使用しており測定したい方向に水平器を何度も置きなおしていた。
【考案の開示】
【考案が解決しようとする課題】
【０００３】直管式の水平器では一方向の傾斜しか測定できず、測定したい方向に何度も水平器を置きなおしたり、または複数の直管式の水平器を使用する必要があった。
【課題を解決するための手段】
【０００４】丸型気泡管を使用することで３６０度全方向の傾斜が一目でわかり水平器をたて、よこ、ななめと置きなおすことなく傾斜の修正を容易にする。
【考案の効果】
【０００５】傾斜の方向が一目でわかるため傾斜の修正方向が的確に得られ施工工事のスピードアップがはかれる。
【考案を実施するための最良の形態】
【０００６】レンガやブロック等の上に置くためにレンガやブロック等の大きさの半分程度の大きさの平滑な台座と丸型気泡管を一体に形成し持ち易い形状にする。
【図面の簡単な説明】
【０００７】
【図１】レンガレベル全体を示した斜視図である。
【符号の説明】
【０００８】１  台座
２  丸型気泡管
【図１】
0003125807.tif 000003
(57)【要約】      （修正有）【課題】古新聞等をしっかりと密着して締め付けた紐、ＰＰバンドの間に容易に簡易手掛け具の差込片を差し込んで、前記した紐、ＰＰバンドを該差込片に引っ掛けて前記古新聞等を容易につり上げられるようにした差込片を備えて構成した簡易手掛け具を提供する。【解決手段】簡易手掛け具は握持部２の両側に釣鉤部４を外側に向けてＵ字状に折り曲げた偏平状のフック部３を左右対称に配置して構成するとともに、該Ｕ字状に折り曲げたフック部３の下辺である折り返し部に、同方向に向けた先端を薄刃状にした差込片５を先端がやや上向きに突設して構成する。【選択図】図１
0003125832.tif 000002
【実用新案登録請求の範囲】
【請求項１】
握持部２の両側に釣鉤部４を外側に向けてＵ字状に折り曲げた偏平状のフック部３を左右対称に配置して構成するとともに、該Ｕ字状に折り曲げたフック部３の下辺である折り返し部に、同方向に向けた先端を薄刃状にした差込片５を先端がやや上向きに突設して構成することを特徴とする簡易手掛け具。
【考案の詳細な説明】
【技術分野】
【０００１】
本考案は、梱包箱や小荷物等にかぎらず、特に古雑誌や古新聞を積み重ねた束を紐やＰＰバンドと称する合成樹脂製バンド等で縛り付け、その紐やＰＰバンドを引っ掛けて、該束等を持ちやすくする簡易手掛け具に関する。
【背景技術】
【０００２】
従来の簡易手掛け具は、握持部の両側に、外側を釣鉤部としたＵ字状に折り曲げたフック部を配設した偏平形状に構成されていた。
【０００３】
従来の簡易手掛け具は上記のように構成されていたから、前記古新聞の束等を縛り付けた紐やＰＰバンドと称する合成樹脂製バンドに簡易手掛け具のフック部を引っ掛けるときは、束ねられた古新聞等を縛り付けた紐やＰＰバンドと束ねられた古新聞等の平面の間に隙間をつくり、その隙間にフック部を潜らせて、ブック部の釣鉤部を通過させ、前記紐やＰＰバンドをフック部のＵ地状に折り曲げた間に引っ掛け、該紐やＰＰバンドを吊すようにした。ところがその紐やＰＰバンドがきつく縛り付けた場合には、前記した操作は容易でないので前記簡易手掛け具を前記古新聞の平面に沿って伏せた状態で前記簡易手掛け具のフック部を差し込み、前記フック部のＵ字状に折り曲げた間に前記紐やＰＰバンドを位置させた後、前記簡易手掛け具を引き起こして、前記簡易手掛け具のフック部に前記紐やＰＰバンドを引っ掛けて持ち運びができるようにして簡易手掛け具の用を足せるようにしていた。
【０００４】
ところで、梱包箱や小荷物等だけでなく束ねられた古新聞を縛り付けた紐やＰＰバンドが梱包箱や小荷物、或いは束ねた古新聞の面にぴったりと密接して掛けられた場合には、梱包箱や小荷物、或いは束ねられた古新聞の面と、これを縛り付けた紐やＰＰバンドの間に前記簡易手掛け具を潜り込ませる隙間がなく、従って、前記簡易手掛け具を前記のようにして、梱包箱や小荷物、或いは古新聞の束とこれを縛り付ける紐やＰＰバンドの間に差し込んで前記紐やＰＰバンドを簡易手掛け具のフック部に引っ掛けることは容易ではないし、更に、梱包箱、小荷物や古新聞の束を縛り付ける紐、ＰＰバンドの縛り付け度合いによっては簡易手掛け具のフック部を梱包箱、小荷物や束ねられた古新聞とこれを締め付ける紐、ＰＰバンド合成樹脂バンドの間に差し込ませることはできなかった。
【０００５】
上記状態の梱包箱、小荷物の掛け帯に簡易手掛け具を引っ掛ける作業を容易にしようとして出願された発明に特開２００５−１６０９００号公報に開示された発明がある。
【特許文献１】特開２００５−１６０９００号公報
【考案の開示】
【考案が解決しようとする課題】
【０００６】
本考案は、梱包箱、小荷物、或いは古雑誌、古新聞等をしっかりと密着して締め付けた紐、ＰＰバンドの間に容易に簡易手掛け具の差込片を差し込んで、前記した紐、ＰＰバンドを該差込片に引っ掛けて前記梱包箱、小荷物、或いは束ねた古雑誌、古新聞を容易につり上げられるようにした差込片を備えて構成した簡易手掛け具を提供しようとするものである。
【課題を解決するための手段】
【０００７】
本考案に係る簡易手掛け具は握持部２の両側に釣鉤部４を外側に向けてＵ字状に折り曲げた偏平状のフック部３を左右対称に配置して構成するとともに、該Ｕ字状に折り曲げたフック部３の下辺である折り返し部に、同方向に向けた先端を薄刃状にした差込片５を先端がやや上向きに突設して構成する。    
【考案の効果】
【０００８】
本考案の簡易手掛け具に形成した差込片は、握持部の両側にＵ字状に形成されたフック部の折り返し部に先端をやや上向きにして突設して構成されているので、紐、ＰＰバンドをきつく締め付けた梱包箱、小荷物、或いは束ねた古雑誌、古新聞の面と、前記紐、ＰＰバンドの間に強制的に差込片を差し込む隙間をつくり、その隙間に先端がやや上向きに突設した差込片を差し込んで、前記物体を容易に持ち運びができる。
【考案を実施するための最良の形態】
【０００９】
比較的安価で製作されることが必要とされるため、本考案に係る簡易手掛け具を合成樹脂製とし、合成樹脂製簡易手掛け具を製造する金型も可能な限り簡素で成形加工を容易にするため射出成形によりこれが一体型で成形が可能な形状とする。
【実施例】
【００１０】
本考案の構成を説明する。本考案に係る簡易手掛け具は握持部２の両側に釣鉤部４を外側に向けてＵ字状に折り曲げた偏平状のフック部３を左右対称に配置して構成するとともに、該Ｕ字状に折り曲げたフック部３の下辺である折り返し部に、同方向に向けた先端を薄刃状にした差込片５を先端がやや上向きに突設して構成する。
【００１１】
本考案の機能を説明する。本考案は上記のように構成されているから、フック部は従来の簡易手掛け具と同様に使用できる梱包箱、小荷物、或いは束ねた古雑誌、古新聞１０等を紐、ＰＰバンド１１を以て隙間のないようにしっかりと縛り付け、前記梱包対象物とこれを縛り付けた紐、ＰＰバンド１１の間に、従来の簡易手掛け具を以てしては前記梱包物と紐、ＰＰバンドの間にフック部の差し込みが困難な場合でも本考案に係る手掛け具１のフック部３の差込片５を梱包箱、小荷物や束ねた古雑誌、古新聞１０を締め付けた紐、ＰＰバンド１１の間に差し込むことができる。
【図面の簡単な説明】
【００１２】
【図１】本考案にかかる簡易手掛け具の斜視図。
【図２】本考案にかかる簡易手掛け具の差込片を以て梱包箱、小荷物、或いは束ねた古雑誌、古新聞を締め付けた紐、バンドに引っ掛けた状態の斜視図。
【符号の説明】
【００１３】
１    手掛け具
２    握持部
３    フック部
４    釣鉤部
５    差込片
１０  古新聞
１１  ＰＰバンド
【図１】
0003125832.tif 000003
【図２】
0003125832.tif 000004
(57)【要約】【課題】ハイチェアの足置き環の衝撃防止構造を提供する。【解決手段】ハイチェアの足置き環の衝撃防止構造は、主に、足置き環の側壁上に突環を設置して、軟質の衝撃防止棒を覆設して、保護作用を達成する。運搬過程で衝撃により損傷したり、走行時にぶつかって怪我をすることを防止する。【選択図】図１
0003125837.tif 000002
【実用新案登録請求の範囲】
【請求項１】
ハイチェアの足置き環の衝撃防止構造であって、主に、前記足置き環の側壁上に突環を設置して、軟質の衝撃防止棒を覆設することを特徴とするハイチェアの足置き環の衝撃防止構造。
【請求項２】
前記衝撃帽防止構造は、門状であることを特徴とする請求項１に記載のハイチェアの足置き環の衝撃防止構造。
【考案の詳細な説明】
【技術分野】
【０００１】
本考案は、ハイチェアの足置き環の衝撃防止構造に関するものであって、特に、運搬過程での安全使用を達する構造に関するものである。
【背景技術】
【０００２】
一般のハイチェアは、足置き環を設置しており、座る者の両足が置けるようになっていて、座った時に快適である。しかし、これは、外に突出しているので、走行時につまずいたり、或いは、運搬過程中に、ぶつかって損壊する。
【考案の開示】
【考案が解決しようとする課題】
【０００３】
本考案は、運搬過程でぶつかって損傷するのを防止したり、走行時につまずいて負傷するのを防止するハイチェアの足置き環の衝撃防止構造を提供することを目的とする。
【課題を解決するための手段】
【０００４】
本考案のハイチェアは、主に、椅子からなり、椅子底部に支承棒を設置し、支承棒底部に円盤状の底座を有し、ハイチェアが安定して地面に直立する。支承棒の適当な位置に、足置き環を設置し、足置き環中央に結合孔を有し、足置き環は支承棒上に固定される。足置き環側壁に突環を設置し、プラスチック材質の衝撃防止棒を設置する。
【考案の効果】
【０００５】
本考案により、運搬過程でぶつかって損傷するのを防止したり、走行時につまずいて負傷するのを防止することが出来る。
【考案を実施するための最良の形態】
【０００６】
図１で示されるように、本考案のハイチェアは、主に、椅子１０からなり、椅子１０底部に支承棒２０を設置し、支承棒２０底部に円盤状の底座３０を有し、ハイチェアが安定して地面に直立する。支承棒２０の適当な位置に、足置き環４０を設置し、足置き環４０中央に結合孔４１（図２で示される）を有し、足置き環４０は支承棒２０上に固定される。足置き環４０側壁に突環４２を設置し、軟質PU、或いは、PVC等のプラスチック材質の衝撃防止棒５０を覆設し、衝撃防止棒５０は門状を呈する（図２、図３で示される）。
【０００７】
本考案の足置き環４０の側壁上に軟質の衝撃防止棒５０を設置しているので、運搬時、他のものと衝突すると、衝撃防止棒５０の保護作用により足置き環が損傷するのが防止される。また、走行時、足置き環４０にぶつかる時、衝撃防止棒５０の保護作用により脚部を怪我するのを防止する。
【０００８】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【０００９】
【図１】本考案の足置き環とハイチェア結合の立体図である。
【図２】本考案の実施例の立体分解図である。
【図３】本考案の実施例の部分断面図である。
【符号の説明】
【００１０】
１０  椅子
２０  支承棒
３０  底座
４０  足置き環
４１  結合孔
４２  突リング
５０  衝撃防止棒
【図１】
0003125837.tif 000003
【図２】
0003125837.tif 000004
【図３】
0003125837.tif 000005
(57)【要約】【課題】縦方向または横方向に自由に排列し組立てることができ、組立ての変化性が多様になり、組立てて構成されたものの全体外観が綺麗になり、且つマットの正面または背面を上面にすることができ、実用性が向上になる組立て式マットを提供する。【解決手段】主に、四辺に凹部と凸部とが連続に形成され、コーナー部の直角に隣接する、凹部と凸部との長さが同様である組立て式マットにおいて、組立て式マットのコーナー部の凹部と凸部と、それらに直角に隣接する、凹部と凸部との長さは、四辺の正常の凹部と凸部との長さの半分であることを特徴とする組立て式マット。【選択図】図３
0003125838.tif 000002
【実用新案登録請求の範囲】
【請求項１】
主に、四辺に凹部と凸部とが連続に形成され、コーナー部の直角に隣接する、凹部と凸部との長さが同様である組立て式マットにおいて、
前記組立て式マットのコーナー部の凹部と凸部と、それらに直角に隣接する、凹部と凸部との長さは、四辺の正常の凹部と凸部との長さの半分であることを特徴とする、組立て式マット。
【請求項２】
その上面には、互いに隣接する、凹部と凸部とをカバーする表層が貼り付けてあることを特徴とする、請求項１に記載の組立て式マット。
【請求項３】
前記表層は樹脂材料を使用してもいいことを特徴とする、請求項２に記載の組立て式マット。
【考案の詳細な説明】
【技術分野】
【０００１】
本考案は、組立て式マットに係り、特に、ユーザーの要求によって、同じ又は異なった寸法の複数のマットを縦方向または横方向に沿って組立てることができ、使用が極めて便利であり、外観が極めて綺麗である組立て式マットに関するものである。
【背景技術】
【０００２】
目下、市販している組立て式マットは、多数の凹部と凸部とを有し、前記凸部の両側の輪郭が所定形状を呈するので、前記所定形状に補い合う凹部でないと、マットを組立てることができなく、だから、一方向だけマットを組立可能であり、使用は極めて不便であり、且つ外観の変化が単調であった。
【考案の開示】
【考案が解決しようとする課題】
【０００３】
本考案の主な目的は、縦方向または横方向に自由に排列し組立てることができる組立て式マットを提供する。
【０００４】
本考案の次の目的は、組立ての変化性が多様になり、組立てて構成されたものの全体外観が綺麗になる組立て式マットを提供する。
【０００５】
本考案の別の目的は、マットの正面または背面を上面にすることができ、実用性が向上になる組立て式マットを提供する。
【課題を解決するための手段】
【０００６】
上記目的を達成するためになされた本願の考案は、主に、四辺に凹部と凸部とが連続に形成され、コーナー部の直角に隣接する、凹部と凸部との長さが同様である組立て式マットにおいて、前記組立て式マットのコーナー部の凹部と凸部と、それらに直角に隣接する、凹部と凸部との長さは、四辺の正常の凹部と凸部との長さの半分であることを特徴とする組立て式マットであることを要旨としている。
【０００７】
本願の考案では、その上面には、互いに隣接する、凹部と凸部とをカバーする表層が貼り付けてあることを特徴とする請求項１に記載の組立て式マットであることを要旨としている。
【０００８】
本願の考案では、前記表層は樹脂材料を使用してもいいことを特徴とする請求項２に記載の組立て式マットであることを要旨としている。
【考案の効果】
【０００９】
本考案の組立て式マットによれば、縦方向または横方向に自由に排列し組立てることができ、組立ての変化性が多様になり、組立てて構成されたものの全体外観が綺麗になり、且つマットの正面または背面を上面にすることができ、実用性が向上になる効果がある。
【考案を実施するための最良の形態】
【００１０】
以下、添付図面を参照して本考案の好適な実施の形態を詳細に説明する。
【００１１】
まず、図１と図２を参照する。本考案の組立て式マット１は、主に、四辺に凹部１０と凸部１１とが連続に形成され、複数の組立て式マット１は互いに組立てて連接して大面積になることができる。
【００１２】
また、組立て式マット１のコーナー部の凹部１０と凸部１１との隣接辺の長さが同様であり、且つ組立て式マット１のコーナー部の凹部１０と凸部１１と、それらに直角に隣接する、凹部１０と凸部１１との長さは、四辺の正常の凹部１０と凸部１１との長さの半分である。
【００１３】
次に、本考案の使用状態を詳細に説明する。図３に示すように、凹部１０と凸部１１とにより、一つの組立て式マット１に他の組立て式マット１を嵌合して連接することができ、ここで、組立て式マット１のコーナー部の直角に隣接する、凹部１０と凸部１１との長さが同様であり、組立て式マット１は縦方向または横方向に沿って排列し組立てることができ、また、図４に示すように、前記組立て式マット１のコーナー部の凹部１０と凸部１１と、それらに直角に隣接する、凹部１０と凸部１１との長さは、四辺の正常の凹部１０と凸部１１との長さの半分であり、且つ各組立て式マット１の直角に隣接する辺の長さは倍数にすることができ、そうすると、組立て式マット１の排列変化性が多様になり、また、図５に示すように、組立て式マット１の上面には、互いに隣接し嵌合する、凹部１０と凸部１１とをカバーする表層１２が貼り付けてあり、これにより、組立てた組立て式マット１の凹部１０と凸部１１とが前記表層１２にカバーし隠れられ、そして前記表層１２は、木質シートを使用してもいいし、樹脂材料を使用してもいいし、ゴム材料を使用してもいいし、竹片を使用してもよく、そうすると、組立てた組立て式マット１の全体外観がもっと綺麗になり、且つ実用性も向上になる。
【００１４】
また、各組立て式マット１の直角に隣接する辺の長さは同じにすることもよく、そうすると、組立て式マット１を、縦方向または横方向に沿って排列し組立てることができ、組立ての変化性が多様になり、且つその背面を反転し上面にすることもでき、使用の便利性が向上になる。
【図面の簡単な説明】
【００１５】
【図１】本考案の組立状態を示す概略図である。
【図２】本考案の組立て式マットを示す概略図である。
【図３】本考案の実施状態を示す概略図である。
【図４】本考案の別の実施状態を示す概略図である。
【図５】本考案の模様付き組立て式マットの実施状態を示す概略図である。
【符号の説明】
【００１６】
１        組立て式マット
１０      凹部
１１      凸部
１２      表層
【図１】
0003125838.tif 000003
【図２】
0003125838.tif 000004
【図３】
0003125838.tif 000005
【図４】
0003125838.tif 000006
【図５】
0003125838.tif 000007
(57)【要約】【課題】  低コストかつ簡便なおろし器具であって、安定した状態でおろし作業を快適に行うことができる調理用おろし器を提供する【解決手段】  おろし刃12を周囲に設けたおろし穴11を有するおろし部10と、該おろし部の周囲に外側に向け階段状に形成した容器固定部20からなる調理用おろし器。  【選択図】    図１
0003125855.tif 000002
【実用新案登録請求の範囲】
【請求項１】
おろし刃12を周囲に設けたおろし穴11を有するおろし部10と、該おろし部の周囲に外側に向け階段状に形成した容器固定部20からなる調理用おろし器。
【請求項２】
階段状の容器固定部20がおろし部10の周囲に連続環状に又は不連続に形成されてなる請求項１の調理用おろし器。
【請求項３】
階段状の容器固定部20がおろし部10の表面及び／又は裏面に形成されてなる請求項１又は２の調理用おろし器。
【考案の詳細な説明】
【技術分野】
【０００１】
本願考案は野菜や果物等の食品材料のすり下ろしに用いる調理用おろし器に関する。
【背景技術】
【０００２】
大根、山芋、わさび、リンゴなど種々の食品材料をすり下ろすには、従来より様々な調理用おろし器が使用されている。従来の調理用おろし器としては、取手部を有する羽子板状の金属の板面におろし刃を設けて斜めに保持して容器の中に置き、大根などをおろす「おろしがね(金)」があるがおろし作業にはかなりの労力を要する。これを改善するものとして、おろし器とこれを固定する専用容器とを組み合わせたおろし器の提案もある。このようなおろし金を専用容器と組み合わせたおろし器は、それだけで相当なコストの上昇を招き、器具も嵩張り、収納時だけでなく使用にあたって取り扱いの簡便性に欠ける。
【０００３】
【特許文献１】実開平5-48843号公報
【特許文献２】実開平5-48844号公報
【特許文献３】特開2003−325364号公報
【考案の開示】
【考案が解決しようとする課題】
【０００４】
本願考案は前記課題を解決するものであり、低コストかつ簡便なおろし器具であって、安定した状態でおろし作業を快適に行うことができる調理用おろし器を提供することを目的とする。
【課題を解決するための手段】
【０００５】
本発明は表面におろし刃12を設けたおろし部10と、該おろし部の周囲に外側に向け階段状に形成した容器固定部20からなる調理用おろし器を提供するものである。
おろし部10には、おろし穴11が設けられ、その周囲におろし刃12が形成されているのが好ましい。階段状の容器固定部20は、おろし部10の周囲に連続環状に設けられていてもよく、又は不連続に数カ所形成されていてもよい。この階段状の容器固定部20はおろし部10の表面又は裏面の一方、あるいはその両方に設けられてよい。
【考案の効果】
【０００６】
本願考案のおろし器は低コストかつ簡便な器具でありながら安定した状態でおろし作業を快適に行うことができる。
【実施例】
【０００７】
つぎに本考案の調理用おろし器について具体例によりさらに詳細に説明する。
図１は本考案調理用おろし器の一具体例の斜視図、図２はそのＡ−Ａ断面図、図３は図１のおろし器の裏面の斜視図、図４は本考案の調理用おろし器の他の具体例を示す斜視図である。
【０００８】
本考案の調理用おろし器１は、周囲におろし刃12が形成された、おろし穴11を多数その一面に設けたおおむね円形のおろし部10、及びそのおろし部10の周囲に同心円状に４段の階段状の容器固定部20を有する。容器固定部20の最外部(最上部)には拡大部21が形成され吊り下げ孔22が形成される。
【０００９】
おろし部10に設けられるおろし穴11の位置、配列、大きさは特に限定されず従来公知のおろし器と同様であってよい。また、おろし穴11の周囲に設けられる多数のおろし刃12も種々の形状、配置であってよい。おろし部の形状は円形であるのが好ましいが、楕円など他の形状であっても受け皿となる食器の形状に応じて変更してよい。
【００１０】
おろし部10の周囲の容器固定部20は、口径が大小様々の容器と適合し、この容器を受け皿として本考案おろし器の安定が図れるよう、円形のおろし部10の周囲に環状に４段の階段状部材が形成されている。
【００１１】
図３に示すように本考案おろし器１の裏面にも前記と同様の４段の階段状の容器固定部20が形成されており、口径が大小様々の容器と適合し、この容器を受け皿として本考案おろし器の固定が図れる。このような階段状の容器固定部20をおろし器の片面又は両面に設けることにより様々な口径の食器を受け皿として本考案おろし器をその上に載せておろし作業を行うことができる。両面に容器固定部を設ける場合は、階段の口径を表裏で異なるよう形成することにより、より多様な容器との適合が可能となる。また階段の数は特に限定されず２〜６段程度であってよい。
【００１２】
おろし器の容器固定部20は前記のようにおろし部10の周囲に環状に設けられるほか、部分的に形成されていてもよい。図４は本考案おろし器の他の具体例を示す斜視図である。図４に示すおろし器では、階段状の容器固定部20aが対角状に４ヶ所形成されている。このような容器固定部により前記と同様、容器の上におろし器1を固定しおろし作業を安定して行うことができる。
【００１３】
本考案の調理用おろし器１の材質としては、ポリスチレン、ポリカーボネート、ＡＳ樹脂、ＡＢＳ樹脂など調理用具の材料としてしばしば用いられるプラスチック材料、あるいは金属、陶器(セラミックを含む)などが用いられてよい。
【産業上の利用可能性】
【００１４】
本考案の調理用おろし器は低コストかつ簡便な器具であって、安定した状態でおろし作業を快適に行うことができる。
【図面の簡単な説明】
【００１５】
【図１】本考案の調理用おろし器の一具体例を示す斜視図である。
【図２】図２は図１のおろし器のＡ−Ａ断面図である。
【図３】図３は図１のおろし器の裏面の斜視図である。
【図４】図４は本考案のおろし器の他の具体例を示す斜視図である。
【符号の説明】
【００１６】
１  調理用おろし器      １０  おろし部            １１  おろし穴
１２  おろし刃          ２０，２０ａ  容器固定部    ２１  拡大部
２２  吊り下げ孔
【図１】
0003125855.tif 000003
【図２】
0003125855.tif 000004
【図３】
0003125855.tif 000005
【図４】
0003125855.tif 000006